(57)【要約】【課題】道路を走行する車両に、情報提供者からの種々の情報を局地的なブロードキャストによって提供する車両情報提供システムを提供する。【解決手段】情報提供者が提供する提供情報及び該提供情報を配信する地域を指定する配信情報が登録される路側センタ局１０と、路側に設置されて配信情報によって指定される路側コントローラであって、路側センタ局からネットワークを介して送られてくる電子式道路課金システムの課金情報及び提供情報を受信する路側コントローラ２０１〜２０ｎと、路側コントローラからの課金情報及び提供情報をブロードキャストする路側アンテナ２１１〜２１ｎと、道路課金システムで使用される車載器であって、アンテナからのブロードキャストを受信する車載器４１と、車載器でブロードキャストを受信することにより得られる提供情報に基づき該提供情報の提供元にアクセスする携帯端末４２、とを備えている。【選択図】　　　図１
2004038667.tif 000002
【特許請求の範囲】
【請求項１】
情報提供者が提供する提供情報及び該提供情報を配信する地域を指定する配信情報が登録される路側センタ局と、
路側に設置されて前記配信情報によって指定される路側コントローラであって、前記路側センタ局からネットワークを介して送られてくる電子式道路課金システムの課金情報及び前記提供情報を受信する路側コントローラと、
前記路側コントローラからの前記課金情報及び前記提供情報をブロードキャストするアンテナと、
前記道路課金システムで使用される車載器であって、前記アンテナからのブロードキャストを受信する車載器と、
前記車載器で前記ブロードキャストを受信することにより得られる前記提供情報に基づき該提供情報の提供元にアクセスする携帯端末、
とを備えた車両情報提供システム。
【請求項２】
提供情報及び該提供情報を配信する地域を指定する配信情報が登録される可搬式の路側センタ局と、
路側に設置されて前記配信情報によって指定される路側コントローラであって、前記路側センタ局からネットワークを介して送られてくる前記提供情報を受信する可搬式の路側コントローラと、
前記路側コントローラからの前記提供情報をブロードキャストする可搬式のアンテナと、
前記アンテナからブロードキャストを受信する車載器と、
前記車載器で前記ブロードキャストを受信することにより得られる前記提供情報に基づき該提供情報の提供元にアクセスする携帯端末、
とを備えた車両情報提供システム。
【発明の詳細な説明】
【０００１】
【発明の属する技術分野】
本発明は、車両情報提供システムに関し、特に、広域通信と狭域通信とを併用して走行中の車両に種々の情報を局地的に提供する技術に関する。
【０００２】
【従来の技術】
従来、走行中の車両に無線通信を利用して種々の情報を提供する車両情報提供システムが知られている。このような車両情報提供システムの関連技術として、例えば、特開２００２−３２８９４は、車両での移動途中においても、コンテンツのバージョンアップ情報を含む有料、無料の様々な情報の提供を受けられるようにした情報提供システムを開示している。この情報提供システムでは、種々の情報提供者から情報提供センタに提供される有料、無料の情報をコンピュータで管理し、ユーザの車両に搭載された車載器で駐車場に設置されている電波式ビーコンと通信して情報提供センタのコンピュータ情報管理装置に接続し、希望する情報を要求すると、コンピュータは、その情報を検索して電波式ビーコンにより車載器に情報を送信する。
【０００３】
また、他の関連技術として、特開２０００−２８６９９６は、ユーザが情報提供を要求したときに、そのユーザに特定して、その要求に応じた情報をリアルタイムで随時提供する情報提供システムを開示している。この情報提供システムでは、情報提供を要求する要求信号を送信し、この要求に応じて提供された情報のメニューを受信し、このメニューを選択すると共に選択したメニューの情報を受信してディスプレイに表示させる移動端末と、この移動端末と双方向で無線通信可能に構成され、移動端末からの要求信号を受信したときに、提供すべき情報のメニューを送信し、更に、メニュー選択信号を受信したときに、そのメニューに属する情報を送信するセンタ装置とを備えている。
【０００４】
更に他の関連技術として、特開２０００−２０７６８５は、車両位置情報、道路交通情報、目的地経路情報の共有、車載器への他の車両の位置等を表示できる車載機及びそれを備えた車両通信システムを開示している。この車両通信システムでは、自車両情報、自車両運転者の個別情報又は他の車両の運転者の個別情報を入力する運転者個別情報入力装置と、該運転者個別情報入力装置により入力された個別情報を移動体通信インフラを介して通信する移動体通信制御装置と、自車の位置するデジタル道路地図上座標を検出する自車両位置検出装置と、道路上に設置されたビーコン端末から提供される道路交通情報を受信・記憶するＶＩＣＳ情報受信装置と、道路交通情報を基に目的地までの経路を探索する目的地経路探索装置と、デジタル道路地図上に車両の位置・経路を表示する表示装置を備えている。
【０００５】
【発明が解決しようとする課題】
しかしながら、上述した特開２００２−３２８９４に開示された情報提供システムは、車載器を搭載した車両は、電波式ビーコンが設置されている場所に赴く必要があり、ユーザが情報の提供を受ける機会が限られてしまう。また、上述した特開２０００−２８６９９６及び特開２０００−２０７６８５に開示された情報提供システムでは、情報提供者がユーザを特定せずに所謂ブロードキャストでユーザに情報を提供することはできない。
【０００６】
一方、近年は、ＥＲＰ（Ｅｌｅｃｔｒｏｎｉｃ　Ｒｏａｄ　Ｐｒｉｃｉｎｇ：電子式道路課金）システムが実用化に至り、その整備も充実しつつある。そこで、このＥＲＰシステムのインフラを更に有効利用する方策が求められている。
【０００７】
本発明は、上記要請に応えるものであり、その目的は、道路を走行する車両に、情報提供者からの種々の情報を局地的なブロードキャストによって提供する車両情報提供システムを提供することにある。
【０００８】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【０００９】
上記目的を達成するために、本発明の第１の態様に係る車両情報提供システムは、情報提供者が提供する提供情報及び該提供情報を配信する地域を指定する配信情報が登録される路側センタ局（１０）と、路側に設置されて配信情報によって指定される路側コントローラであって、路側センタ局からネットワークを介して送られてくる電子式道路課金システムの課金情報及び提供情報を受信する路側コントローラ（２０１〜２０ｎ）と、路側コントローラからの課金情報及び提供情報をブロードキャストするアンテナ（２１１〜２１ｎ）と、道路課金システムで使用される車載器であって、アンテナからのブロードキャストを受信する車載器（４１）と、車載器でブロードキャストを受信することにより得られる提供情報に基づき該提供情報の提供元にアクセスする携帯端末（４２）、とを備えている。
【００１０】
この第１の態様に係る車両情報提供システムによれば、情報提供者は、路側コントローラを指定して提供情報をブロードキャストすることにより配信できるので、車両が走行している地域や方向に応じて好適な情報を提供できる。一方、ユーザは、車両が走行している地域や方向に応じた情報の提供を受けることができる。また、路側センタ局、路側コントローラ、路側アンテナ、車載器等は、ＥＲＰシステムと共用できるので、ＥＲＰシステムのインフラの有効利用が図れる。
【００１１】
本発明の第２の態様に係る車両情報提供システムは、上記と同様の目的で、提供情報及び該提供情報を配信する地域を指定する配信情報が登録される可搬式の路側センタ局（５０）と、路側に設置されて配信情報によって指定される路側コントローラであって、路側センタ局からネットワークを介して送られてくる提供情報を受信する可搬式の路側コントローラ（６０１〜６０ｎ）と、路側コントローラからの提供情報をブロードキャストする可搬式のアンテナ（６１１〜６１ｎ）と、アンテナからブロードキャストを受信する車載器（８１）と、車載器でブロードキャストを受信することにより得られる提供情報に基づき該提供情報の提供元にアクセスする携帯端末（８２）、とを備えている。
【００１２】
この第２の態様に係る車両情報提供システムによれは、路側センタ局並びに複数の路側コントローラ及び路側アンテナは可搬式であるので、この車両情報提供システムを、例えば、イベント会場、災害現場、工事現場付近といった局地的な領域に設置することができる。従って、その領域を通過する車両に好ましい情報を木目細かく且つタイミングよく提供できる。
【００１３】
【発明の実施の形態】
以下、本発明の実施の形態を、図面を参照しながら詳細に説明する。
【００１４】
近年、車両の通行に伴って有料道路等の通行料金を自動的に課金するＥＲＰ（Ｅｌｅｃｔｒｏｎｉｃ　Ｒｏａｄ　Ｐｒｉｃｉｎｇ：電子式道路課金）システムが実用化されている。このＥＲＰシステムでは、車両に搭載された車載機と路側に設けられたアンテナを介してセンタとの間で通信を行うことにより、車両に対する課金が行われる。本発明の実施の形態に係る車両情報提供システムでは、このようなＥＲＰシステムのインフラが利用される。なお、ＥＲＰシステムの構成や動作は、広く知られているので本明細書では詳細な説明を省略する。
【００１５】
（実施の形態１）
本発明の実施の形態１に係る車両情報提供システムは、ＥＲＰシステムで使用される路側アンテナを利用し、走行する車両にＥＲＰシステムの課金情報に加えて情報提供者からの提供情報をブロードキャストによりユーザに提供する。
【００１６】
図１は、本発明の実施の形態１に係る車両情報提供システムの構成を示す図である。この車両情報提供システムは、路側センタ局１０、路側に設置された複数の路側コントローラ２０１〜２０ｎ、路側センタ局１０と複数の路側コントローラ２０１〜２０ｎとを接続するネットワーク３０及び車両に搭載される車内機器４０から構成されている。ネットワーク３０としては、例えば専用回線によって形成された路側ネットワーク網が使用される。
【００１７】
路側センタ局１０は、複数の路側コントローラ２０１〜２０ｎの全てを統括的に制御する。この路側センタ局１０は、ＥＲＰシステムの全体を制御するセンタ局としても機能する。この路側センタ局１０は、複数の路側コントローラ２０１〜２０ｎの各々を識別して個別にアクセスできるように構成されている。
【００１８】
この路側センタ局１０には、この車両情報提供システムを用いてユーザに情報を提供することを希望する情報提供者からの情報が登録される。この登録される情報には、情報提供者がブロードキャストを希望する提供情報と、その提供情報を配信する地域を指定する配信情報とが含まれる。提供情報は、情報提供者のＵＲＬ（Ｕｎｉｆｏｒｍ　ｒｅｓｏｕｒｃｅ　ｌｏｃａｔｏｒ）、電話番号等から構成される。なお、提供情報は、文字情報、画像情報、音声情報といった情報提供者が提供しようとする情報そのものであってもよい。この路側センタ局１０は、ネットワーク３０を介して、配信情報によって指定された地域に設置されている路側コントローラに提供情報を送信する。
【００１９】
路側コントローラ２０１〜２０ｎの各々は、ＥＲＰシステムの路側コントローラと共用される。この路側コントローラ２０１〜２０ｎの各々には路側アンテナ２１１〜２１ｎが接続されている。
【００２０】
路側アンテナ２１１〜２１ｎは、適当な間隔で道路を跨ぐように設けられたガントリに設置される。この路側アンテナ２１１〜２１ｎはＥＲＰシステムのアンテナと共用される。この路側アンテナ２１１〜２１ｎとしては、ＤＳＲＣ（Ｄｅｄｉｃａｔｅｄ　Ｓｈｏｒｔ　Ｒａｎｇｅ　Ｃｏｍｍｕｎｉｃａｔｉｏｎ：狭域専用通信）用のアンテナが使用される。路側アンテナ２１１〜２１ｎは、電波や光を媒体として極小スポット（通信領域）で狭域通信を行う。即ち、道路を通行する車両が通信領域に入ってきた場合に、該車両に搭載された車載器４１との間で高速データ通信を行う。
【００２１】
路側コントローラ２０１〜２０ｎの各々は、ＥＲＰシステム用の路側識別子及び時刻等から成る課金情報に追加して、路側センタ局１０から受信した提供情報を路側アンテナ２１１〜２１ｎに送る。これにより、課金情報及び提供情報が路側アンテナ２１１〜２１ｎからブロードキャストされる。
【００２２】
車内機器４０は、車両に搭載される。この車内機器４０は、車載器４１、携帯電話４２及びカーナビゲーション装置４３から構成されている。
【００２３】
車載器４１としては、ＥＲＰシステムで使用される車載機と共用される。この車載器４１は、図示は省略するが、本体とＤＳＲＣ用アンテナとから構成されている。本体は、カーナビゲーション装置４３と共用される表示部及び操作部を備えている。操作部を操作することにより、過去に受信した提供情報を表示部に表示させることができる。
【００２４】
この車載器４１は、携帯電話４２を接続するためのインタフェース部（図示しない）を備えており、このインタフェース部を介して携帯電話４２との間でデータの送受が可能になっている。
【００２５】
携帯電話４２は、本発明の携帯端末に対応し、ネットワーク３０を介して、情報提供者のシステム（図示しない）との間で無線通信を行う。この携帯電話４２は、車載器４１に接続するためのインタフェース部（図示しない）を備えており、このインタフェース部を介して車載器４１との間でデータの送受が可能になっている。この携帯電話４２は、車載器４１に連動するように制御される。
【００２６】
なお、本発明の携帯端末としては、携帯電話４２に限らず、ＰＨＳ（ＰｅｒｓｏｎａｌＨａｎｄｙｐｈｏｎｅ　Ｓｙｓｔｅｍ）、ＰＤＡ（Ｐｅｒｓｏｎａｌ　Ｄａｔａ　Ａｓｓｉｓｔａｎｔ）、無線通信機能を備えたパーソナルコンピュータといった無線によるネットワーク接続機能を備えた携帯端末を用いることができる。
【００２７】
カーナビゲーション装置４３は、オプションである。このカーナビゲーション装置４３は、操作部からの操作に応じて表示部に道路地図を表示して運転者をナビゲートする周知のものである。なお、このカーナビゲーション装置４３が搭載されない車内機器４０では、車載器４１の本体に操作部及び表示部が設けられる。
【００２８】
次に、以上のように構成される本発明の実施の形態１に係る車両情報提供システムの動作を説明する。なお、以下では、車内機器４０を構成する車載器４１と携帯電話４２との間は、各々のインタフェース部を介して相互に接続されているものとする。また、オプションであるカーナビゲーション装置４３は、車内機器４０に実装されているものとする。
【００２９】
先ず、情報提供者は、自己が提供することを希望する提供情報と、その提供情報を配信する地域を指定する配信情報とを路側センタ局１０に登録する。なお、登録する情報には、更に配信する時間帯を指定する時間情報を含めるように構成してもよい。
【００３０】
路側センタ局１０は、登録された配信情報に基づいて、提供情報を送信するべき路側コントローラ２０１〜２０ｎを選定する。そして、選定された路側コントローラ２０１〜２０ｎに対して、ネットワーク３０を介して、提供情報を送信する。
【００３１】
提供情報を受信した路側コントローラ２０１〜２０ｎは、ＥＲＰシステムの課金情報に配信情報を追加して路側アンテナ２１１〜２１ｎに送る。これにより、課金情報及び提供情報が路側アンテナ２１１〜２１ｎからブロードキャストされる。
【００３２】
一方、道路を通行している車両が路側アンテナ２１１〜２１ｎの通信領域に入ったときに、車内機器４０を構成する車載器４１は、路側アンテナ２１１〜２１ｎからの提供情報を受信する。この受信された提供情報は、携帯電話４２の表示器及びカーナビゲーション装置４３の表示部の少なくとも一方に自動的に表示されると共に、車載器４１の図示しないメモリに蓄積される。
【００３３】
ユーザは、この表示された提供情報が情報提供者のＵＲＬや電話番号である場合に、携帯電話４２を使用してＵＲＬや電話番号に接続することにより情報提供者のシステムにアクセスし、所望の情報を得る。また、操作部を操作することにより、既にメモリに蓄積されているＵＲＬや電話番号を表示部に表示させ、これらの中から所望のＵＲＬや電話番号を選択して、情報提供者のシステムにアクセスすることもできる。
【００３４】
以上説明したように、この実施の形態１に係る車両情報提供システムによれば、情報提供者は、路側コントローラ２０１〜２０ｎを指定することにより所望の地域に局地的に提供情報をブロードキャストすることにより配信できる。従って、情報提供者は、車両が走行している地域や方向に好適な情報を提供できる。
【００３５】
一方、ユーザは、車両が走行中であっても、路側アンテナ２１１〜２１ｎを介して情報提供者からの提供情報を受信することができ、受信した提供情報の中から適宜選択して、例えば携帯電話４２を用いて情報提供者のシステムにアクセスすることにより、所望の情報を得ることができる。その結果、ユーザは、車両が走行している地域や方向に好適な情報の提供を受けることができる。
【００３６】
また、路側センタ局１０、路側コントローラ２０１〜２０ｎ、路側アンテナ２１１〜２１ｎ、車載器４１等は、ＥＲＰシステムと共用できるので、ＥＲＰシステムのインフラの有効利用が図れる。
【００３７】
（実施の形態２）
本発明の実施の形態２は、複数の可搬式の路側アンテナを任意の路側に配置し、走行する車両に情報を提供する、路側移動型の可搬式汎用路側システムとして構成された車両情報提供システムである。
【００３８】
図２は、本発明の実施の形態２に係る車両情報提供システムの構成を示す図である。この車両情報提供システムは、簡易路側センタ局５０、路側に設置される複数の簡易路側コントローラ６０１〜６０ｎ、簡易路側センタ局５０と複数の簡易路側コントローラ６０１〜６０ｎとを接続するネットワーク７０、及び車両に搭載される車内機器８０とから構成されている。ネットワーク７０としては、例えば携帯電話やＰＨＳ用のデジタル移動通信網が使用される。
【００３９】
簡易路側センタ局５０は、複数の簡易路側コントローラ６０１〜６０ｎの全てを統括的に制御する。この簡易路側センタ局５０は、例えばモデムを内蔵したパーソナルコンピュータから構成されており、持ち運びが可能な可搬式になっている。この簡易路側センタ局５０には、上記モデムを介して携帯電話５１が接続される。パーソナルコンピュータは、この携帯電話５１を介してネットワーク７０に接続される。この簡易路側センタ局５０は、複数の簡易路側コントローラ６０１〜６０ｎの各々を識別して個別にアクセスできるように構成されている。
【００４０】
この簡易路側センタ局５０には、この車両情報提供システムを用いて提供する情報が登録される。この登録される情報には、ユーザにブロードキャストする提供情報と、その提供情報を配信する地域を指定する配信情報とが含まれる。簡易路側センタ局５０は、ネットワーク７０を介して、配信情報によって指定された地域に設置されている簡易路側コントローラに提供情報を送信する。
【００４１】
簡易路側コントローラ６０１〜６０ｎの各々は、ＥＲＰシステムの路側コントローラと同様の構成を有する。簡易路側コントローラ６０１〜６０ｎは、必要に応じて、イベント会場、災害現場、工事現場付近といった特定の情報が必要とされる領域に局地的に設置される。
【００４２】
簡易路側コントローラ６０１〜６０ｎの各々は、例えばモデムを内蔵したパーソナルコンピュータから構成されており、持ち運びが可能な可搬式になっている。この簡易路側コントローラ６０１〜６０ｎの各々には、上記モデムを介して携帯電話６１１〜６１ｎが接続されている。パーソナルコンピュータは、この携帯電話６１１〜６１ｎを介してネットワーク７０に接続される。
【００４３】
また、簡易路側コントローラ６０１〜６０ｎの各々には、ＤＳＲＣ用の可搬式路側アンテナ６２１〜６２ｎが接続されている。この可搬式路側アンテナ６２１〜６２ｎは、既設の電柱等の構造物や仮設の足場、車両等に自由に取り付け可能に構成されている。そして、電波や光を媒体として極小スポット（通信領域）で狭域通信を行う。即ち、道路を通行する車両が通信領域に入ってきた場合に、該車両に搭載された車載器８１との間で高速データ通信を行う。
【００４４】
簡易路側コントローラ６０１〜６０ｎの各々は、簡易路側センタ局５０から受信した情報を、可搬式路側アンテナ６２１〜６２ｎに送る。これにより、提供情報が可搬式路側アンテナ６２１〜６２ｎからブロードキャストされる。
【００４５】
車内機器８０は、車両に搭載される。この車内機器８０は、車載器８１、携帯電話８２及びカーナビゲーション装置８３から構成されている。
【００４６】
車載器８１としては、ＥＲＰシステムで使用される車載機が使用される。この車載器８１は、図示は省略するが、本体とＤＳＲＣ用のアンテナとから構成されている。本体は、カーナビゲーション装置８３と共用される表示部及び操作部を備えている。操作部を操作することにより、過去に受信した提供情報を表示部に表示させることができる。
【００４７】
この車載器８１は、携帯電話８２を接続するためのインタフェース部（図示しない）を備えており、このインタフェース部を介して携帯電話８２との間でデータの送受が可能になっている。
【００４８】
携帯電話８２は、本発明の携帯端末に対応し、ネットワーク７０を介して、情報提供元（図示しない）との間で適宜無線通信を行う。この携帯電話８２は、車載器８１に接続するためのインタフェース部（図示しない）を備えており、このインタフェース部を介して車載器８１との間でデータの送受が可能になっている。この携帯電話８２は、車載器８１に連動するように制御される。
【００４９】
なお、本発明の携帯端末としては、携帯電話に限らず、ＰＨＳ、ＰＤＡ、無線通信機能を備えたパーソナルコンピュータといった無線によるネットワーク接続機能を備えた携帯端末を用いることができる。
【００５０】
カーナビゲーション装置８３は、オプションである。このカーナビゲーション装置８３は、その操作部からの操作に応じて表示部に道路地図を表示して運転者をナビゲートする周知のものである。なお、このカーナビゲーション装置８３が搭載されない車内機器８０では、車載器８１の本体に操作部及び表示部が設けられる。
【００５１】
次に、以上のように構成される本発明の実施の形態２に係る車両情報提供システムの動作を説明する。なお、以下では、車内機器８０を構成する車載器８１と携帯電話８２との間は、各々のインタフェース部を介して相互に接続されているものとする。また、オプションであるカーナビゲーション装置８３は、車内機器８０に実装されているものとする。
【００５２】
先ず、簡易路側センタ局５０において、特定のユーザに提供したい提供情報と、その提供情報を配信する地域を指定する配信情報とが登録される。なお、登録される情報には、更に配信する時間帯を指定する時間情報を含めてもよい。
【００５３】
簡易路側センタ局５０は、登録された配信情報に基づいて、提供情報を送信する簡易路側コントローラ６０１〜６０ｎを選定する。そして、選定された簡易路側コントローラ６０１〜６０ｎに対して、ネットワーク７０を介して、提供情報を配信する。
【００５４】
提供情報を受信した簡易路側コントローラ６０１〜６０ｎは、配信情報を可搬式路側アンテナ６２１〜６２ｎに送る。これにより、提供情報が可搬式路側アンテナ６２１〜６２ｎからブロードキャストされる。
【００５５】
一方、道路を通行している車両が可搬式路側アンテナ６２１〜６２ｎの通信領域に入ったときに、車内機器８０を構成する車載器８１は、可搬式路側アンテナ６２１〜６２ｎからの提供情報を受信する。この受信された提供情報は、携帯電話８２の表示器及びカーナビゲーション装置８３の表示部の少なくとも一方に自動的に表示されると共に、車載器８１の図示しないメモリに蓄積される。
【００５６】
ユーザは、この表示された提供情報に基づいて、イベント会場、災害現場、工事現場付近といった局地的な領域で有用な情報を得ることができる。なお、提供情報が情報提供者のＵＲＬや電話番号である場合に、携帯電話８２を使用してＵＲＬや電話番号に接続することにより情報提供元にアクセスして所望の情報を得ることができる。また、操作部を操作することにより、既にメモリに蓄積されている提供情報を表示部に表示させ、これらの中から所望の提供情報を参照したり、更に、携帯電話８２を用いて情報提供元にアクセスすることもできる。
【００５７】
以上説明したように、この実施の形態１に係る車両情報提供システムによれば、簡易路側センタ局５０並びに複数の簡易路側コントローラ６０１〜６０ｎ及び可搬式路側アンテナ６２１〜６２ｎは持ち運び可能な可搬式であるので、この車両情報提供システムを、例えば、イベント会場、災害現場、工事現場付近といった局地的な領域に設置することができる。従って、その領域を通過する車両に好ましい情報を木目細かく且つタイミングよく提供できる。
【００５８】
【発明の効果】
以上詳述したように、本発明によれば、道路を走行する車両に、情報提供者からの種々の情報を局地的なブロードキャストによって提供する車両情報提供システムを提供できる。
【００５９】
【図面の簡単な説明】
【図１】本発明の実施の形態１に係る車両情報提供システムの構成を示す図である。
【図２】本発明の実施の形態２に係る車両情報提供システムの構成を示す図である。
【符号の説明】
１０　　路側センタ局
２０１〜２０ｎ　　複数の路側コントローラ
２１１〜２１ｎ　　複数の路側アンテナ
３０　　ネットワーク
４０　　車内機器
４１　　車載器
４２　　携帯電話
４３　　カーナビゲーション装置
５０　　簡易路側センタ局
６０１〜６０ｎ　　複数の簡易路側コントローラ
６１１〜６１ｎ　　複数の可搬式路側アンテナ
７０　　ネットワーク
８０　　車内機器
８１　　車載器
８２　　携帯電話
８３　　カーナビゲーション装置
【図１】
2004038667.tif 000003
【図２】
2004038667.tif 000004